(57)【要約】第１ブーム１と、第１ブーム１内に伸縮自在に収納された第２ブーム２と伸縮シリンダとから伸縮ブーム装置を構成する。ブーム１，２を、それぞれ主部１ａ，２ａと、主部１ａ，２ａの一端に隔壁１ｂ，２ｂを介して一体に設けられたボス設置部１ｃ，２ｃと、主部１ａ，２ａの他端に隔壁１ｄ，２ｄを介して一体に設けられたスライドパッド取付部１ｅ，２ｅと、ボス設置部１ｃ，２ｃに設けられたボス１ｆ，２ｆと、スライドパッド取付部１ｅ，２ｅに設けられたスライドパッド１ｇ，２ｇとから構成する。主部１ａよりも幅寸法及び高さ寸法が大寸に形成されたスライドパッド取付部１ｅの内面に複数個のスライドパッド１ｇを取り付けると共に、主部２ａよりも幅寸法及び高さ寸法が小寸に形成されたスライドパッド取付部２ｅの外面に複数個のスライドパッド２ｇを取り付け、スライドパッド１ｇ，２ｇを設けた場合においても断面外形寸法の大型化を招くことのないようにする。
2004078633.tif 000002
【特許請求の範囲】
【請求項１】
外筒と、この外筒内に相対的に摺動可能に配置された１以上の内筒とからなる筒体群と、
前記外筒及び前記１以上の内筒を相対的に伸縮させる伸縮駆動機構と、
前記外筒と前記１以上の内筒のそれぞれ隣接する間隙に設けられ、隣接する筒体間の摺動動作を緩和する摺接部材と、
を有する伸縮ブーム装置において、
前記外筒の内面には、隣接する内筒の外面に対して離間し、前記内筒の外面に摺接する摺接部材を取り付ける第１の取付部が、前記外筒と隣接する前記内筒の外面には、前記外筒の内面に対して離間し、前記外筒の内面に摺接する摺接部材を取り付ける第２の取付部が、それぞれ設けられていることを特徴とする伸縮ブーム装置。
【請求項２】
前記第１の取付部は前記外筒の一方の端部側に設けられ、前記第２の取付部は前記内筒の前記第１の取付部とは逆側の端部側に設けられていることを特徴とする請求の範囲１記載の伸縮ブーム装置。
【請求項３】
前記内筒の内面に隣接する第２の内筒の外面側には前記内筒の内面に対して離間し、前記内筒の内面に摺接する摺接部材を取り付ける第３の取付部が、前記第２の内筒の外面に隣接する前記内筒の内面側には前記第２の内筒の外面に対して離間し、前記第２の内筒の外面に摺接する摺接部材を取り付ける第４の取付部が、それぞれ設けられていることを特徴とする請求の範囲１記載の伸縮ブーム装置。
【請求項４】
前記第１の取付部は前記外筒の一方の端部側に、前記第２の取付部は前記内筒の前記第１の取付部とは逆側の端部側に、前記第３の取付部は前記第２の内筒の前記第２の取付部側の端部側に、前記第４の取付部は前記内筒の前記第１の取付部側の端部側に、それぞれ設けられていることを特徴とする請求の範囲３記載の伸縮ブーム装置。
【請求項５】
前記各取付部は前記各筒体の摺動動作を阻害しない位置に配されていることを特徴とする請求の範囲１ないし４のいずれか１に記載の伸縮ブーム装置。
【請求項６】
前記第１の取付部の端部と前記第２の取付部の端部に前記伸縮駆動機構の駆動端をそれぞれ連結する連結部を設けたことを特徴とする請求の範囲１記載の伸縮ブーム装置。
【請求項７】
前記連結部は前記第１及び第２の取付部の端部に溶接により取り付けられていることを特徴とする請求の範囲６記載の伸縮ブーム装置。
【請求項８】
少なくとも２つのブームと、これら少なくとも２つのブームをテレスコープ状に伸縮させる伸縮シリンダとを有する伸縮ブーム装置において、
前記少なくとも２つのブームのそれぞれを、ストレートな筒状の強度を有した主部と、当該主部の断面外形長さに比べて長さが小又は大のスライドパッド取付部とから構成し、前記主部の断面外形長さよりも長さが小のスライドパッド取付部にはその外面にスライドパッドを取り付け、前記主部の断面外形長さよりも長さが大のスライドパッド取付部にはその内面にスライドパッドを取り付けたことを特徴とする伸縮ブーム装置。
【請求項９】
前記ブームとして、第１ブームと当該第１ブーム内に伸縮自在に挿入された第２ブームとを備え、前記第１ブームの先端部には前記主部の断面外形長さよりも長さが大のスライドパッド取付部を設けてその内面に前記スライドパッドを取り付け、前記第２ブームの基端側には前記主部の断面外形長さよりも長さが小のスライドパッド取付部を設けてその外面に前記スライドパッドを取り付けることを特徴とする請求の範囲８記載の伸縮ブーム装置。
【請求項１０】
前記ブームとして、第１ブームと当該第１ブーム内に伸縮自在に挿入された１乃至複数本の第２ブームと当該第２ブーム内に伸縮自在に挿入された第３ブームとを備え、前記第１ブームの先端部には前記主部の断面外形長さよりも長さが大のスライドパッド取付部を設けてその内面に前記スライドパッドを取り付け、前記第２ブームの先端部には前記主部の断面外形長さよりも長さが大のスライドパッド取付部を設け、前記第２ブームの基端部には前記主部の断面外形長さよりも長さが小のスライドパッド取付部を設けて、前記主部の断面外形長さよりも長さが大のスライドパッド取付部の内面及び前記主部の断面外形長さよりも長さが小のスライドパッド取付部の外面に前記スライドパッドを取り付け、前記第３ブームの基端部には前記主部の断面外形長さよりも長さが小のスライドパッド取付部を設けてその外面に前記スライドパッドを取り付けることを特徴とする請求の範囲８記載の伸縮ブーム装置。
【請求項１１】
前記少なくとも２つのブームのうち、前記伸縮シリンダが設置される２つのブームのそれぞれを、ストレートな筒状の主部と、当該主部の断面外形長さに比べて長さが小又は長さが大のスライドパッド取付部と、前記主部に溶接されたボス設置部とから構成し、前記ボス設置部の内面に前記伸縮シリンダを連結するためのボスを設けたことを特徴とする請求の範囲８ないし１０のいずれか１に記載の伸縮ブーム装置。
【発明の詳細な説明】
【技術分野】  本発明は、例えばリフトトラックや高所作業車などの油圧作業機に備えられる伸縮ブーム装置に係り、特に、伸縮ブーム装置の各ブームの構成に関する。
【背景技術】  従来より、リフトトラックや高所作業車などの油圧作業機には、伸縮シリンダを伸縮することによってテレスコープ状に伸縮される伸縮ブーム装置が備えられている。
図１２は従来より知られているこの種の伸縮ブーム装置の一例を示す断面図である。この図から明らかなように、従来例に係る伸縮ブーム装置は、一端が開放されたストレートな筒状の基端ブーム２１ａと、この基端ブーム２１ａ内に伸縮自在に挿入されたストレートな筒状の中間ブーム２１ｂと、この中間ブーム２１ｂ内に伸縮自在に挿入されたストレートな筒状の先端ブーム２１ｃと、基端ブーム２１ａと中間ブーム２１ｂとの間に設けられ、基端ブーム２１ａに対して中間ブーム２１ｂを伸縮作動させる伸縮シリンダ２２と、伸縮シリンダ２２の伸縮作動に伴って中間ブーム２１ｂに対して先端ブーム２１ｃを伸縮作動させるワイヤ・シーブ機構とから構成されている（例えば、実開平５−８２９８６号公報（図２）参照）。
前記構成の伸縮ブーム装置は、伸縮シリンダ２２を伸び方向に作動させることにより、基端ブーム２１ａ、中間ブーム２１ｂ及び先端ブーム２１ｃからなるブーム本体２１を伸ばすことができ、また、伸縮シリンダ２２を縮み方向に作動させることにより、ブーム本体２１を縮めることができる。
【発明の開示】
前記構成の伸縮ブーム装置には、ブーム本体２１の作動を円滑にし、ブーム本体２１の耐久性の向上及びブーム本体２１からの異音発生の防止等を図るために、各ブーム２１ａ，２１ｂ，２１ｃ間に例えば滑性に優れた樹脂材料などからなるスライドパッドが摺接部材として設けられる。一方、前記公知例に係る伸縮ブーム装置は、各ブーム２１ａ，２１ｂ，２１ｃがストレートな角筒状に形成されているので、各ブーム２１ａ，２１ｂ，２１ｃの内面又は外面にスライドパッドを設けると、各ブーム２１ａ，２１ｂ，２１ｃ間にスライドパッドを設けるためのスペースが必要になる。そのため、図１２に示す先端ブーム２１ｃのＪ−Ｊ断面形状（以下これを単に「断面形状」という。）を維持しようとする場合には、各ブーム間にスライドパッドが設けられることから、このスライドパッドの厚さ分だけ中間ブーム２１ｂ及び基端ブーム２１ａの断面形状が大きくなってブーム本体が大型化することになる。極端には、ブーム本体２１の車体レイアウトが困難になる場合も生じる。反対に、基端ブーム２１ａの断面形状を維持しようとする場合にはスライドパッドの厚み分だけ中間ブーム２１ｂ及び先端ブーム２１ｃの断面形状が小さくなることから、これら各ブーム２１ｂ，２１ｃの強度が低下する。
本発明は、かかる従来技術の不備を解決するためになされたものであり、その目的は、断面外形寸法の大型化を招くことなく摺接部材を配置することが可能な伸縮ブーム装置を提供することにある。
前記目的を達成するため、第１の手段は、外筒と、この外筒内に相対的に摺動可能に配置された１以上の内筒とからなる筒体群と、前記外筒及び前記１以上の内筒を相対的に伸縮させる伸縮駆動機構と、前記外筒と前記１以上の内筒のそれぞれ隣接する間隙に設けられ、隣接する筒体間の摺動動作を緩和する摺接部材とを有する伸縮ブーム装置において、前記外筒の内面には、隣接する内筒の外面に対して離間し、前記内筒の外面に摺接する摺接部材を取り付ける第１の取付部が、前記外筒と隣接する前記内筒の外面には、前記外筒の内面に対して離間し、前記外筒の内面に摺接する摺接部材を取り付ける第２の取付部が、それぞれ設けられていることを特徴とする。
この場合、前記第１の取付部は前記外筒の一方の端部側に設けられ、前記第２の取付部は前記内筒の前記第１の取付部とは逆側の端部側に設けられるようにする。
また、前記内筒の内面に隣接する第２の内筒の外面側には前記内筒の内面に対して離間し、前記内筒の内面に摺接する摺接部材を取り付ける第３の取付部が、前記第２の内筒の外面に隣接する前記内筒の内面側には前記第２の内筒の外面に対して離間し、前記第２の内筒の外面に摺接する摺接部材を取り付ける第４の取付部が、それぞれ設けられるようにしてもよい。その際、前記第１の取付部は前記外筒の一方の端部側に、前記第２の取付部は前記内筒の前記第１の取付部とは逆側の端部側に、前記第３の取付部は前記第２の内筒の前記第１の取付部側の端部側に、前記第４の取付部は前記内筒の前記第２の取付部側の端部側にそれぞれ設けるとよい。また、前記各取付部は前記各筒体の摺動動作を阻害しない位置に配される。
さらに、前記第１の取付部の端部と前記第２の取付部の端部に前記伸縮駆動機構の駆動端をそれぞれ連結する連結部を設けることもできる。その際、前記連結部は前記第１及び第２の取付部の端部に溶接により取り付けられる。
第２の手段は、少なくとも２つのブームと、これら少なくとも２つのブームをテレスコープ状に伸縮させる伸縮シリンダとを有する伸縮ブーム装置において、前記少なくとも２つのブームのそれぞれを、ストレートな筒状の強度を有した主部と、当該主部の断面外形長さに比べて長さが小又は大のスライドパッド取付部とから構成し、前記主部の断面外形長さよりも長さが小のスライドパッド取付部にはその外面にスライドパッドを取り付け、前記主部の断面外形長さよりも長さが大のスライドパッド取付部にはその内面にスライドパッドを取り付けたことを特徴とする。
この場合、前記ブームとして、第１ブームと当該第１ブーム内に伸縮自在に挿入された第２ブームとを備え、前記第１ブームの先端部には前記主部の断面外形長さよりも長さが大のスライドパッド取付部を設けてその内面に前記スライドパッドを取り付け、前記第２ブームの基端側には前記主部の断面外形長さよりも長さが小のスライドパッド取付部を設けてその外面に前記スライドパッドを取り付けるとよい。
又、前記ブームとして、第１ブームと当該第１ブーム内に伸縮自在に挿入された１乃至複数本の第２ブームと当該第２ブーム内に伸縮自在に挿入された第３ブームとを備え、前記第１ブームの先端部には前記主部の断面外形長さよりも長さが大のスライドパッド取付部を設けてその内面に前記スライドパッドを取り付け、前記第２ブームの先端部には前記主部の断面外形長さよりも長さが大のスライドパッド取付部を設け、前記第２ブームの基端部には前記主部の断面外形長さよりも長さが小のスライドパッド取付部を設けて、前記主部の断面外形長さよりも長さが大のスライドパッド取付部の内面及び前記主部の断面外形長さよりも長さが小のスライドパッド取付部の外面に前記スライドパッドを取り付け、前記第３ブームの基端部には前記主部の断面外形長さよりも長さが小のスライドパッド取付部を設けてその外面に前記スライドパッドを取り付けることもできる。
さらに、前記第２の手段において、前記少なくとも２つのブームのうち、前記伸縮シリンダが設置される２つのブームのそれぞれを、ストレートな筒状の主部と、当該主部の断面外形長さに比べて長さが小又は長さが大のスライドパッド取付部と、前記主部に溶接されたボス設置部とから構成し、前記ボス設置部の内面に前記伸縮シリンダを連結するためのボスを設けることもできる。
このように構成することにより、断面外形寸法の大型化を招くことなく摺接部材を配置することが可能な伸縮ブーム装置を提供することができる。
なお、以下の実施形態において、外筒は第１ブーム１に、内筒は第２ブーム２に、摺接部材はスライドパッド１ｇ，２ｇ，３ｇに、空間部はスライドパッド取付部１ｅ，２ｅ，２ｅ１，２ｅ２，３ｅに、第１の取付部は１ｅに、第２の取付部はスライドパッド取付部２ｅ，２ｅ２に、第３の取付部はスライドパッド取付部３ｅに、第４の取付部はスライドパッド取付部２ｅ１に、連結部はボス設置部１ｃ，２ｃにそれぞれ対応する。
【図面の簡単な説明】  図１は第１の実施形態に係る伸縮ブーム装置の一部破断した側面図である。
図２は図１のＡ部端断面図である。
図３は図１のＢ部端断面図である。
図４は図１のＣ部端断面図である。
図５は図１のＤ部端断面図である。
図６は図１のＥ部端断面図である。
図７は図１のＦ部端断面図である。
図８は図１のＧ部端断面図である。
図９は図１のＨ部端断面図である。
図１０は図１のＩ部端断面図である。
図１１は第２実施形態に係る伸縮ブーム装置の構成を模式的に示す断面図である。
図１２は従来例に係る伸縮ブーム装置の一例を示す断面図である。
【発明を実施するための最良の形態】  以下、図１ないし図１０を参照し、本発明に係る伸縮ブーム装置の一実施形態について説明する。
図１から明らかなように、本実施形態に係る伸縮ブーム装置は、第１ブーム１と、当該第１ブーム１内に伸縮自在に収納された第２ブーム２と、図示しない伸縮シリンダとから構成されている。
第１ブーム１は、ストレートな無底の角筒状に形成された主部１ａと、当該主部１ａの一端に隔壁１ｂを介して一体に設けられたボス設置部１ｃと、前記主部１ａの他端に隔壁１ｄを介して一体に設けられたスライドパッド取付部１ｅと、前記ボス設置部１ｃに設けられたボス１ｆと、前記スライドパッド取付部１ｅに設けられたスライドパッド１ｇとからなる。
ボス設置部１ｃは、図１の側面図及び図２の端断面図に示すように、断面形状の幅寸法Ｗと高さ寸法Ｈが主部１ａの幅寸法及び高さ寸法とほぼ同一の無底の角筒状に形成されており、その全長は主部１ａの全長よりも著しく短く、ボス１ｆの直径の数倍程度、言い換えればボス１ｆが設けられるに足るだけの長さに設定されている。当該ボス設置部１ｃの内面には２つのボス１ｆが対向するように配置され、溶接によりボス設置部１ｃに取り付けられている。
隔壁１ｂは板状に形成され、図１及び図３に示すように中央部に角形の透孔１ｈを有する。その外形の幅寸法及び高さ寸法は主部１ａの幅寸法及び高さ寸法よりもやや大きく、その内側の幅寸法及び高さ寸法は主部１ａの内側の幅寸法及び高さ寸法とほぼ同じ大きさに形成されている。
スライドバッド取付部１ｅは、図１及び図８に示すように、内側の幅寸法及び高さ寸法が主部１ａの幅寸法及び高さ寸法よりも大きいストレートな無底の角筒状に形成されており、その全長は主部１ａの全長よりも短く、スライドパッド１ｇを取付可能な程度に形成される。当該スライドパッド取付部１ｅの内面には複数個（図８の例では、６個）のスライドパッド１ｇが外周方向にほぼ等分の距離で取り付けられている。スライドパッド１ｇは、例えばポリテトラフルオロエチレンなどの滑性に優れた樹脂材料によりブロック状に形成されている。このスライドパッド１ｇは、スライドパッド取付部１ｅの内面にねじ止めあるいは接着等により固定され、第１ブーム１と第２ブーム２間の摺動を緩和する。なお、スライドパッド取付部１ｅは、主部１ａに比べて長手方向の寸法が短く、４枚の板材により形成されている。
隔壁１ｄは板状に形成され、図１及び図７に示すように中央部に角形の透孔１ｉを有する。その外形の幅寸法及び高さ寸法は主部１ａの幅寸法及び高さ寸法よりも大きく、その内側の幅寸法及び高さ寸法は主部１ａの内側の幅寸法及び高さ寸法とほぼ同じ大きさに形成されている。
前記ボス設置部１ｃ及びスライドパッド取付部１ｅは、主部１ａに対して隔壁１ｂ，１ｄを介してそれぞれが同心になるようにそれぞれ溶接によって一体化される。隔壁１ｂ，１ｄは主部１ａに対して断面形状の異なるボス設置部１ｃおよびスライドパッド取付部１ｅを溶接により取り付け、一体化する際の工数低減のために用いられる。
第２ブーム２は、第１ブーム１の主部１ａ内に挿入可能な外形を有するストレートな無底の角筒状に形成された主部２ａと、当該主部２ａの一端に隔壁２ｂを介して一体に設けられたボス設置部２ｃと、前記主部２ａの他端に隔壁２ｄを介して一体に設けられたスライドパッド取付部２ｅと、前記ボス設置部２ｃに設けられたボス２ｆと、前記スライドパッド取付部２ｅに設けられたスライドパッド２ｇとからなる。
ボス設置部２ｃは、図１及び図１０に示すように、第１ブーム１のスライドパッド取付部１ｅとほぼ同一の幅寸法及び高さ寸法を有する無底の角筒状に形成されており、その全長は主部２ａの全長よりも著しく短く、ボス２ｆの直径の数倍程度に形成される。言い換えればボス２ｆが設けられるに足るだけの長さに設定されている。当該ボス設置部２ｃの内面には２つのボス２ｆが対向するように配置され、溶接によりボス設置部２ｃに取り付けられている。
隔壁２ｂは板状に形成され、図１及び図９に示すように中央部に角形の透孔２ｈを有する。その外形の幅寸法及び高さ寸法は主部２ａの幅寸法及び高さ寸法よりもやや大きく、内側の幅及び高さ寸法は主部２ａの内側の同寸法とほぼ同じ大きさに形成されている。
スライドパッド取付部２ｅは、図１及び図４に示すように、外形の幅寸法及び高さ寸法が主部２ａの同寸法よりも小さい無底の角筒状に形成されており、その全長は主部２ａの全長よりも著しく短く、スライドパッド２ｇを取付可能な程度に形成される。当該スライドパッド取付部２ｅの外面には複数個（図４の例では、６個）のスライドパッド２ｇがほぼ等分に取り付けられている。
スライドパッド２ｇは、第１ブーム１に備えられるスライドパッド１ｇと同様に例えばポリテトラフルオロエチレンなどの滑性に優れた樹脂材料をもってブロック状に形成されており、スライドパッド取付部２ｅの外面にねじ止めあるいは接着等により固定される。なお、スライドパッド１ｇとスライドパッド２ｇとは部品の共用化を図り、伸縮ブーム装置の組立性の改善と低コスト化とを図るため、同一構成のものを用いることが特に好ましい。
隔壁２ｄは板状に形成され、図１及び図５に示すように中央部に角形の透孔２ｉを有する。その外形の幅寸法及び高さ寸法は主部２ａの同寸法よりもやや大きく、透孔２ｉの幅寸法及び高さ寸法は主部２ａの同寸法とほぼ同じ大きさに形成されている。
前記ボス設置部２ｃ及びスライドパッド取付部２ｅは、主部２ａに対して隔壁２ｂ，２ｄを介してそれぞれが同心になるようにそれぞれ溶接によって一体化される。隔壁２ｂ，２ｄは主部２ａに対して断面形状の異なるボス設置部２ｃおよびスライドパッド取付部２ｅを溶接により取り付け、一体化する際の工数低減のために用いられる。
本実施形態に係る伸縮ブーム装置は、図１に示すように、前記第２ブーム２の主部２ａ及びスライドパッド取付部２ｅを第１ブーム１の主部１ａ内及びスライドパッド取付部１ｅ内に挿入し、第１ブーム１のボス設置部１ｃに設けられたボス１ｆと第２ブーム２のボス設置部２ｃに設けられたボス２ｆとに図示しない伸縮シリンダの連結部を連結することによって組み立てられる。このようにして組み立てられた本実施形態に係る伸縮ブーム装置は、伸縮シリンダを伸縮して第１ブーム１と第２ブーム２とを相対的に伸縮させたとき、各ブーム１，２の主部１ａ，２ａがスライドパッド１ｇ，２ｇを介して摺動するので、摺動抵抗が減少し、伸縮動作を円滑に行うことができる。
前記実施形態に係る伸縮ブーム装置は、主部１ａ，２ａに当該主部１ａ，２ａよりも断面形状が大きなあるいは小さなスライドパッド取付部１ｅ，２ｅを形成し、主部２ａよりも断面形状が小さなスライドパッド取付部２ｅにはその外面にスライドパッド２ｇを、主部１ａよりも断面形状が大きなスライドパッド取付部１ｅにはその内面にスライドパッド１ｇをそれぞれ取り付けたので、各ブーム１，２の主部１ａ，２ａ間にスライドパッド１ｇ，２ｇを取り付ける場合に比べて、ブーム１，２間の間隔を大きくすることなくスライドパッド１ｇ，２ｇを設けることができる。これによりブーム本体の大型化による車体レイアウトの劣化やブーム断面外形の狭小化に伴うブーム強度の低下を防止しつつ、伸縮ブーム装置の動作を円滑なものにすることができる。
また、前記実施形態に係る伸縮ブーム装置は、第１ブーム１と当該第１ブーム１内に伸縮自在に挿入された第２ブーム２とを備えたので、２段伸縮ブーム装置について上述の効果を得ることができる。
さらに、前記実施形態に係る伸縮ブーム装置は、主部１ａ，２ａとボス設置部１ｃ，２ｃとを別体に構成することにより、各ブームを製作する上で作業性を良くすることができる。また、各ボス設置部１ｃ，２ｃをボス１ｆ，２ｆが設定できる程度の短尺に形成したので、溶接によるボス１ｆ，２ｆの設定を容易なものにすることができる。
また、公知例に係る伸縮ブーム装置は、基端ブーム２１ａと中間ブーム２１ｂとに伸縮シリンダ２２の駆動部を連結する必要があるが、公知例に係る伸縮ブーム装置のブーム本体２１は、一端が開放されたストレートな角筒状の基端ブーム２１ａ内に中間ブーム２１ｂ及び先端ブーム２１ｃが収納されており、基端ブーム２１ａの閉止側の端部で基端ブーム２１ａと中間ブーム２１ｂとに伸縮シリンダ２２を連結する構造になっているので、組立性が悪かった。これに対し、本実施形態では、ボス設置部１ｃ，２ｃを両端が開放された角筒状に形成し、作業用の透孔１ｈ，１ｉを確保したので、各ボス１ｆ，２ｆに対する伸縮シリンダの連結作業が容易になる。よって、伸縮ブーム装置の組立性を良好なものにすることができる。
図１１は本発明の他の実施形態に係る伸縮ブーム装置の構成を模式的に示す断面図である。図１１から明らかなように、本実施形態に係る伸縮ブーム装置は、３段以上の多段伸縮ブーム装置に本発明を適用したものである。
本実施形態に係る伸縮ブーム装置は、図１１に示すように、第１ブーム１と、当該第１ブーム１内に伸縮自在に挿入された１ないし複数本の第２ブーム２（図１１の例では、１本のみ図示してある。）と、当該第２ブーム２内に伸縮自在に挿入された第３ブーム３とをもって構成されている。そして、第１ブーム１及び第２ブーム２については前述の実施形態と同様にしてスライドパッド取付部１ｅ，２ｅ２を設け、その内面にスライドパッド１ｇ，２ｇ２をそれぞれ取り付け、第３ブーム３には、第２ブーム２のスライドパッド取付部２ｅ２と同様にして第２ブーム２の内面に対向する位置にスライドパッド取付部３ｅを設け、このスライドパッド取付部３ｅに第２ブーム２の内面に摺接するスライドパッド３ｇを配置する。また、第２ブーム２の第１ブーム１のスライドパッド取付部１ｅ形成部側の端部の第３ブーム３と対向する位置には、スライドパッド取付部２ｅ１が設けられている。このスライドパッド取付部２ｅ１の内面側には第３ブーム３の外面と摺動するスライドパッド２ｇ１が取り付けられ、第３ブーム３外面と第２ブーム２内面との摺動抵抗を減少させる。前記スライドパッド取付部２ｇ１と第３ブーム３との関係は、前述の第１ブーム１に設けたスライドパッド取付部１ｅと第２ブーム２との関係と同様であり、前記スライドパッド取付部３と第２ブーム２との関係は、第２ブーム２に設けたスライドパッド取付部２ｅ２と第１ブーム１との関係と同様である。その他の各部は前述の図１ないし図１０を参照して説明した実施形態と同様に構成されている。
このようにすると、３段以上の多段伸縮ブーム装置について、ブーム本体の断面外形寸法の大型化を招くことなくスライドパッド１ｇ，２ｇ１，２ｇ２，３ｇを設置することが可能な伸縮ブーム装置を提供することができる。また、スライドパッド１ｇ，２ｇ１，２ｇ２，３ｇを設置したとしても大型化することがないので、大型化による車体レイアウト性の劣化を招くこともない。さらに、ブーム断面外形の狭小化を招くことがないので、ブーム強度が低下することもない。
なお、前記ブームを構成する各部材の断面形状や寸法については、前記各実施形態に拘泥されるものではなく、例えばブームの断面形状を円筒形にするなど必要に応じて適宜変更することができる。
【図１】
2004078633.tif 000003
【図２】
2004078633.tif 000004
【図３】
2004078633.tif 000005
【図４】
2004078633.tif 000006
【図５】
2004078633.tif 000007
【図６】
2004078633.tif 000008
【図７】
2004078633.tif 000009
【図８】
2004078633.tif 000010
【図９】
2004078633.tif 000011
【図１０】
2004078633.tif 000012
【図１１】
2004078633.tif 000013
【図１２】
2004078633.tif 000014
【国際調査報告】
2004078633.tif 000015
2004078633.tif 000016
2004078633.tif 000017
2004078633.tif 000018